(57)【要約】【課題】バックグラウンドで実行されているアプリケーションに関する操作を容易に行うこと。【解決手段】装置（例えば、スマートフォン）１は、フォアグラウンド又はバックグラウンドで実行されるアプリケーションに対応するアイコンが配置されるホーム画面を表示するディスプレイ２Ａと、コントローラ１０とを備える。コントローラ１０は、バックグラウンドで実行されているアプリケーションに対応するアイコンを第１の態様でディスプレイ２Ａに表示させ、バックグラウンドで実行されていないアプリケーションに対応するアイコンを第２の態様でディスプレイ２Ａに表示させる。【選択図】図５
2013080345.tif 000002
【特許請求の範囲】
【請求項１】
フォアグラウンド又はバックグラウンドで実行されるアプリケーションに対応するアイコンが配置されるホーム画面を表示するディスプレイと、
バックグラウンドで実行されているアプリケーションに対応する前記アイコンを第１の態様で前記ディスプレイに表示させ、バックグラウンドで実行されていないアプリケーションに対応する前記アイコンを第２の態様で前記ディスプレイに表示させるコントローラと、
を備える装置。
【請求項２】
前記コントローラは、前記アイコンを前記第１の態様で前記ディスプレイに表示させるときに、当該アイコンの枠の太さ及び枠の色の少なくとも１つを前記第２の態様とは異ならせる請求項１に記載の装置。
【請求項３】
前記コントローラは、前記アイコンを前記第１の態様で前記ディスプレイに表示させるときに、当該アイコンの色、明度及び透明度の少なくとも１つを前記第２の態様とは異ならせる請求項１または２に記載の装置。
【請求項４】
前記コントローラは、前記アイコンを前記第１の態様で前記ディスプレイに表示させるときに、当該アイコンに対応するアプリケーションを終了させるためのボタンを当該アイコンに付加する請求項１から３のいずれか１つに記載の装置。
【請求項５】
前記コントローラは、前記ボタンに対応する操作が行われた場合に、当該ボタンを消去し、当該ボタンに対応する前記アイコンを前記第２の態様で前記ディスプレイに表示させる請求項４に記載の装置。
【請求項６】
ディスプレイを備える装置を制御する方法であって、
フォアグラウンド又はバックグラウンドでアプリケーションを実行するステップと、
バックグラウンドで実行されているアプリケーションに対応するアイコンを第１の態様で前記ディスプレイに表示するステップと、
バックグラウンドで実行されていないアプリケーションに対応するアイコンを第２の態様で前記ディスプレイに表示するステップと、
を含む方法。
【請求項７】
ディスプレイを備える装置に、
フォアグラウンド又はバックグラウンドでアプリケーションを実行するステップと、
バックグラウンドで実行されているアプリケーションに対応するアイコンを第１の態様で前記ディスプレイに表示するステップと、
バックグラウンドで実行されていないアプリケーションに対応するアイコンを第２の態様で前記ディスプレイに表示するステップと、
を実行させるプログラム。
【発明の詳細な説明】
【技術分野】
【０００１】
本発明は、装置、方法、及びプログラムに関する。特に、本発明は、アプリケーションをフォアグラウンド又はバックグラウンドで実行する装置、その装置を制御する方法、及びその装置を制御するためのプログラムに関する。
【背景技術】
【０００２】
ディスプレイにアイコンを表示し、アイコンに対するジェスチャに応じてアイコンに対応するアプリケーションを実行する装置が知られている（例えば、特許文献１）。このような装置の基本的な動作は、装置に搭載されるＡｎｄｒｏｉｄ（登録商標）、ＢｌａｃｋＢｅｒｒｙ（登録商標）  ＯＳ、ｉＯＳ、Ｗｉｎｄｏｗｓ（登録商標）  Ｐｈｏｎｅ、Ｓｙｍｂｉａｎ（登録商標）  ＯＳ等のＯＳ（Ｏｐｅｒａｔｉｎｇ  Ｓｙｓｔｅｍ）によって実現される。
【先行技術文献】
【特許文献】
【０００３】
【特許文献１】国際公開第２００８／０８６３０２号
【発明の概要】
【発明が解決しようとする課題】
【０００４】
アイコンを表示する装置には、アプリケーションをフォアグラウンドまたはバックグラウンドで実行するものがある。本発明は、バックグラウンドで実行されているアプリケーションに関する操作を容易に行うことができる装置、方法、及びプログラムを提供することを目的とする。
【課題を解決するための手段】
【０００５】
本発明に係る装置は、１つの態様において、フォアグラウンド又はバックグラウンドで実行されるアプリケーションに対応するアイコンが配置されるホーム画面を表示するディスプレイと、バックグラウンドで実行されているアプリケーションに対応する前記アイコンを第１の態様で前記ディスプレイに表示させ、バックグラウンドで実行されていないアプリケーションに対応する前記アイコンを第２の態様で前記ディスプレイに表示させるコントローラと、を備える。
【０００６】
本発明に係る方法は、１つの態様において、ディスプレイを備える装置を制御する方法であって、フォアグラウンド又はバックグラウンドでアプリケーションを実行するステップと、バックグラウンドで実行されているアプリケーションに対応するアイコンを第１の態様で前記ディスプレイに表示するステップと、バックグラウンドで実行されていないアプリケーションに対応するアイコンを第２の態様で前記ディスプレイに表示するステップと、を含む。
【０００７】
本発明に係るプログラムは、１つの態様において、ディスプレイを備える装置に、フォアグラウンド又はバックグラウンドでアプリケーションを実行するステップと、バックグラウンドで実行されているアプリケーションに対応するアイコンを第１の態様で前記ディスプレイに表示するステップと、バックグラウンドで実行されていないアプリケーションに対応するアイコンを第２の態様で前記ディスプレイに表示するステップと、を実行させる。
【図面の簡単な説明】
【０００８】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、アプリケーションをバックグラウンドで実行させる制御の例を示す図である。
【図７】図７は、バックグラウンドで実行中のアプリケーションに関する制御の例を示す図である。
【図８】図８は、アイコン表示処理の処理手順を示すフローチャートである。
【図９】図９は、アプリケーション制御処理の処理手順を示すフローチャートである。
【図１０】図１０は、アイコンを表示する態様の他の例を示す図である。
【図１１】図１１は、アイコンを表示する態様の他の例を示す図である。
【発明を実施するための形態】
【０００９】
本発明を実施するための実施形態を、図面を参照しつつ詳細に説明する。以下では、開示する装置の一例として、スマートフォンについて説明する。
【００１０】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１２】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１３】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１４】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、又はスタイラスペン等は、単に「指」ということがある。
【００１５】
スマートフォン１は、タッチスクリーン２Ｂにより検出された接触、接触が行われた位置、接触が行われた時間又は接触が行われた回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１６】
タッチは、タッチスクリーン２Ｂに指が接触するジェスチャである。スマートフォン１は、タッチスクリーン２Ｂに指が接触するジェスチャをタッチとして判別する。ロングタッチとは、タッチスクリーン２Ｂに指が一定時間以上接触するジェスチャである。スマートフォン１は、タッチスクリーン２Ｂに指が一定時間以上接触するジェスチャをロングタッチとして判別する。
【００１７】
リリースは、指がタッチスクリーン２Ｂから離れるジェスチャである。スマートフォン１は、指がタッチスクリーン２Ｂから離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００１８】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００１９】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２０】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２１】
ピンチインは、複数の指が近付く方向にスワイプするジェスチャである。スマートフォン１は、複数の指が近付く方向にスワイプするジェスチャをピンチインとして判別する。ピンチアウトは、複数の指が遠ざかる方向にスワイプするジェスチャである。スマートフォン１は、複数の指が遠ざかる方向にスワイプするジェスチャをピンチアウトとして判別する。
【００２２】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２３】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグラウンドで実行する。フォアグラウンドで実行されるアプリケーションの画面は、ディスプレイ２Ａに表示される。
【００２４】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２５】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。例えば、利用者の設定に従って任意の画像が壁紙４１として決定される。
【００２６】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２７】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００２８】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００２９】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３０】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限られない。
【００３１】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３２】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、コネクタ１４と、加速度センサ１５と、方位センサ１６と、ジャイロスコープ１７とを有する。
【００３３】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３４】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、トリプルクリック、プッシュ、及びマルチプッシュである。
【００３５】
例えば、ボタン３Ａ〜３Ｃは、ホームボタン、バックボタンまたはメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３６】
照度センサ４は、照度を検出する。例えば、照度とは、光の強さ、明るさ、輝度等である。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ及び近接センサは、１つのセンサから構成されてもよい。
【００３７】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格として、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ等がある。通信ユニット６は、上述した通信規格の１つ又は複数をサポートしていてもよい。
【００３８】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３９】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４０】
ストレージ９に記憶されるプログラムには、フォアグラウンドまたはバックグラウンドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４１】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。設定データ９Ｚは、スマートフォン１の動作に関する各種の設定機能を提供する。
【００４２】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４３】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４４】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４６】
カメラ１２は、フロントフェイス１Ａに面している物体を撮影するインカメラである。カメラ１３は、バックフェイス１Ｂに面している物体を撮影するアウトカメラである。
【００４７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。コネクタ１４は、Ｄｏｃｋコネクタのような専用に設計された端子でもよい。コネクタ１４に接続される装置には、例えば、外部ストレージ、スピーカ、通信装置が含まれる。
【００４８】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００４９】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、コネクタ１４に接続される読み取り装置が読み取り可能なＣＤ、ＤＶＤ、又はＢｌｕ−ｒａｙ等の記憶媒体に記憶されていてもよい。
【００５０】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてもよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。
【００５１】
図６及び図７を参照しながら、制御プログラム９Ａが提供する機能に基づく制御の例について説明する。図６は、アプリケーションをバックグラウンドで実行させる制御の例を示している。図６のステップＳ１１では、図４に示したホーム画面４０がディスプレイ２Ａに表示されている。ステップＳ１２では、利用者が、指Ｆ１を用いて、ホーム画面４０上に配置されているアイコン５０ａをタップしている。
【００５２】
アイコン５０ａへのタップがタッチスクリーン２Ｂによって検出されると、スマートフォン１は、アイコン５０ａに対応するアプリケーションを起動し、フォアグラウンドで実行する。アプリケーションをフォアグラウンドで実行するということは、アプリケーションによって提供される画面をディスプレイ２Ａに表示し、画面に対する操作をアプリケーションに対する入力として扱うことを意味する。
【００５３】
アイコン５０ａは、メールアプリケーション９Ｂに対応するアイコンである。スマートフォン１は、アイコン５０ａへのタップが検出されると、メールアプリケーション９Ｂによって提供される画面をディスプレイ２Ａに表示する。メールアプリケーション９Ｂによって提供される画面は、例えば、ステップＳ１３に示すメール作成画面６０である。利用者は、メール作成画面６０に対する操作によって、送信先メールアドレス、件名、本文等を入力する。
【００５４】
利用者は、メール作成画面６０に対する操作中に他のアプリケーションを実行したくなると、ステップＳ１４に示すように、ボタン３Ｂを押下する。ボタン３Ｂが押下されると、スマートフォン１は、フォアグラウンドで実行中のアプリケーションをバックグラウンドで実行する。アプリケーションをバックグラウンドで実行するということは、アプリケーションによって提供される画面をディスプレイ２Ａに表示せず、画面に対する操作をアプリケーションに対する入力として扱わないことを意味する。バックグラウンドで実行中のアプリケーションは、処理を中断してもよいし、データ通信及び音楽再生等の画面を表示することなく実行可能な処理を継続して実行してもよい。
【００５５】
図６に示すステップＳ１５では、メール作成画面６０を表示中にボタン３Ｂが押下されたため、スマートフォン１は、メールアプリケーション９Ｂをバックグラウンドで実行する。そして、スマートフォン１は、メール作成画面６０に代えて、ホーム画面４０をディスプレイ２Ａに表示する。
【００５６】
ステップＳ１５において、スマートフォン１は、メールアプリケーション９Ｂに対応するアイコン５０ａをステップＳ１１の場面と異なる態様で表示する。例えば、スマートフォン１は、アイコン５０ａの枠の太さ及び枠の色の少なくとも１つをステップＳ１１の場面とは異ならせる。このように、スマートフォン１は、ホーム画面４０を表示する場合に、バックグラウンドで実行されているアプリケーションに対応するアイコン５０の表示態様を、通常と異ならせる。その結果、利用者は、どのアプリケーションがバックグラウンドで実行されているかを容易に把握することができる。
【００５７】
バックグラウンドで実行されているアプリケーションを把握することにより、利用者は、中断している作業に容易に気付くことができる。また、利用者は、どれだけ多くのアプリケーションがバックグラウンドで実行されているかを容易に把握することができる。すなわち、利用者は、バックグラウンドで実行されているアプリケーションによって各種のリソースがどの程度使用され、スマートフォン１にどの程度の負荷が掛かっているかを大まかに把握することができる。
【００５８】
ステップＳ１５において、スマートフォン１は、アイコン５０ａに停止ボタン５２ａを付加している。停止ボタン５２ａは、バックグラウンドで実行されているメールアプリケーション９Ｂを終了させるために用いられる。停止ボタン５２ａについては、図７を参照しながら、より詳細に説明する。
【００５９】
なお、フォアグラウンドで実行されているアプリケーションをバックグラウンドで実行させるための操作は、ボタン３Ｂを押下する操作に限定されない。スマートフォン１は、例えば、ボタン３Ｂ以外のボタン３が押下された場合、又はタッチスクリーン２Ｂで所定のジェスチャが検出された場合に、フォアグラウンドで実行中のアプリケーションをバックグラウンドで実行してもよい。
【００６０】
図７は、バックグラウンドで実行中のアプリケーションに関する制御の例を示している。図７に示すステップＳ２１は、図６に示すステップＳ１５の場面の後、アイコン５０ｂのタップを契機として起動されたブラウザアプリケーション９Ｃがバックグラウンドで実行されている場面を示している。そのため、ステップＳ２１では、アイコン５０ｂの表示態様が通常と異なっている。さらに、アイコン５０ｂに停止ボタン５２ｂが付加されている。
【００６１】
この状態で、ステップＳ２２に示すように、利用者がアイコン５０ａをタップしたものとする。この場合、スマートフォン１は、ステップＳ２３に示すように、バックグラウンドで実行中のメールアプリケーション９Ｂをフォアグラウンドで実行し、メール作成画面６０をディスプレイ２Ａに表示させる。ステップＳ２３では、ステップＳ１３の場面、すなわち、メールアプリケーション９Ｂがバックグラウンドで実行される前の場面におけるメール作成画面６０が再現されている。
【００６２】
このように、スマートフォン１は、バックグラウンドで実行されているアプリケーションに対応するアイコン５０がタップされると、タップされたアイコン５０に対応するアプリケーションをフォアグラウンドで実行する。そして、スマートフォン１は、可能であれば、アプリケーションがバックグラウンドで実行される前にディスプレイ２Ａに表示されていた画面を再現する。このような制御により、利用者は、中断していた作業を容易に再開することができる。
【００６３】
なお、バックグラウンドでの実行中にもデータ通信又は音楽再生等の処理が継続していた場合には、スマートフォン１は、アプリケーションをフォアグラウンドで実行するときに、処理の進行状況に応じた画面をディスプレイ２Ａに表示させてもよい。あるいは、スマートフォン１は、リソースの不足等の理由で画面を再現することができない場合には、アプリケーションをフォアグラウンドで実行するときに、新規の画面をディスプレイ２Ａに表示させてもよい。
【００６４】
図７のステップＳ２１の状態で、ステップＳ２４に示すように、利用者がアイコン５０ａに付加された停止ボタン５２ａをタップしたものとする。この場合、スマートフォン１は、タップされた停止ボタン５２ａに対応するメールアプリケーション９Ｂを終了させる。そして、スマートフォン１は、ステップＳ２５に示すように、タップされた停止ボタン５２ａを消去し、停止ボタン５２ａが付加されていたアイコン５０ａを通常の表示態様に戻す。
【００６５】
このように、スマートフォン１は、バックグラウンドで実行されているアプリケーションを、アプリケーションに対応するアイコン５０に付加された停止ボタンがタップされた場合に終了させる。このような制御により、利用者は、バックグラウンドで実行されているアプリケーションを容易に終了させることができる。バックグラウンドで多数のアプリケーションが実行されているとスマートフォン１の動作が遅くなることがあるため、不要なアプリケーションを容易に終了させることができるのは有用である。
【００６６】
図８及び図９を参照しながら、制御プログラム９Ａが提供する機能に基づく制御の処理手順の例について説明する。図８は、アイコン表示処理の処理手順を示している。図８に示す処理手順は、コントローラ１０が、制御プログラム９Ａを実行することによって実現される。図８に示す処理手順は、ホーム画面４０を表示する場合に、ホーム画面４０に配置されるアイコン５０毎に実行される。
【００６７】
コントローラ１０は、ステップＳ１０１として、表示するアイコンに対応するアプリケーションがバックグラウンドで実行されているかを判定する。表示するアイコンに対応するアプリケーションがバックグラウンドで実行されているかは、例えば、実行中のアプリケーションの状況を管理するためのテーブルの内容に基づいて判定される。
【００６８】
表示するアイコンに対応するアプリケーションがバックグラウンドで実行されていない場合（ステップＳ１０２，Ｎｏ）、コントローラ１０は、ステップＳ１０３として、アイコンを通常の態様で表示する。一方、表示するアイコンに対応するアプリケーションがバックグラウンドで実行されている場合（ステップＳ１０２，Ｙｅｓ）、コントローラ１０は、ステップＳ１０４として、アイコンを通常と異なる態様で表示する。そして、コントローラ１０は、ステップＳ１０５として、停止ボタンをアイコンに付加する。
【００６９】
図９は、アプリケーション制御処理の処理手順を示している。図９に示す処理手順は、コントローラ１０が、制御プログラム９Ａを実行することによって実現される。図９に示す処理手順は、ホーム画面４０が表示されている間に、タッチスクリーン２Ｂによってジェスチャが検出されるたびに実行される。
【００７０】
コントローラ１０は、ステップＳ２０１として、タッチスクリーン２Ｂの検出結果を取得する。コントローラ１０は、ステップＳ２０２として、タッチスクリーン２Ｂによって検出されたジェスチャがアイコン５０へのタップであるかを判定する。検出されたジェスチャがアイコン５０へのタップである場合（ステップＳ２０２，Ｙｅｓ）、コントローラ１０は、ステップＳ２０３として、アイコン５０が通常の表示態様であるかを判定する。
【００７１】
アイコン５０が通常の表示態様である場合（ステップＳ２０３，Ｙｅｓ）、コントローラ１０は、ステップＳ２０４として、アイコン５０に対応するアプリケーションを起動し、フォアグラウンドで実行する。アイコン５０が通常の表示態様でない場合（ステップＳ２０３，Ｎｏ）、コントローラ１０は、ステップＳ２０５として、アイコン５０に対応するアプリケーションをバックグラウンドで実行されている状態からフォアグラウンドで実行される状態へ切り替える。
【００７２】
コントローラ１０は、ステップＳ２０３として、アイコン５０に対応するアプリケーションがバックグラウンドで実行されているかを判定してもよい。この場合、アイコン５０に対応するアプリケーションがバックグラウンドで実行されていなければ、コントローラ１０は、ステップＳ２０４を実行する。アイコン５０に対応するアプリケーションがバックグラウンドで実行されていれば、コントローラ１０は、ステップＳ２０５を実行する。
【００７３】
検出されたジェスチャがアイコン５０へのタップでない場合（ステップＳ２０２，Ｎｏ）、コントローラ１０は、ステップＳ２０６として、タッチスクリーン２Ｂによって検出されたジェスチャが停止ボタンへのタップであるかを判定する。検出されたジェスチャが停止ボタンへのタップでない場合（ステップＳ２０６，Ｎｏ）、コントローラ１０は、特に処理を行わない、又は、検出されたジェスチャに応じた所定の処理を実行する。すなわち、検出されたジェスチャが停止ボタンへのタップでない場合の処理は、本実施形態では特定しない。
【００７４】
検出されたジェスチャが停止ボタンへのタップである場合（ステップＳ２０６，Ｙｅｓ）、コントローラ１０は、ステップＳ２０７として、停止ボタンが付加されているアイコン５０に対応するアプリケーションを終了させる。そして、コントローラ１０は、ステップＳ２０８として、停止ボタンを消去し、ステップＳ２０９として、アイコン５０を通常の態様で表示させる。
【００７５】
本発明を完全かつ明瞭に開示するために特徴的な実施例に関し記載してきた。しかし、添付の請求項は、上記実施例に限定されるべきものでなく、本明細書に示した基礎的事項の範囲内で当該技術分野の当業者が創作しうるすべての変形例及び代替可能な構成を具現化するように構成されるべきである。
【００７６】
例えば、図５に示した各プログラムは、複数のモジュールに分割されていてもよいし、他のプログラムと結合されていてもよい。
【００７７】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【００７８】
また、上記の実施形態では、タッチスクリーンディスプレイを備える装置に本発明を適用する例を示したが、本発明の適用対象はこれに限定されない。本発明は、アイコンを表示するディスプレイと、アイコンに対する操作を受け付ける操作部とを別々に備える装置にも適用することができる。例えば、対応するアプリケーションがバックグラウンドで実行されているか否かに応じてディスプレイに表示するアイコンの態様を変化させ、アイコンに対する操作をマウス及びタッチパッド等のポインティングデバイスを用いて検出してもよい。
【００７９】
また、上記の実施形態では、バックグラウンドで実行されているアプリケーションに対応するアイコンを通常と異なる態様で表示するために、アイコンの枠の太さ及び枠の色の少なくとも１つを変化させる例を示した。しかしながら、バックグラウンドで実行されているアプリケーションに対応するアイコンを表示する態様は、これに限定されない。
【００８０】
例えば、スマートフォン１は、図１０及び図１１に示すように、バックグラウンドで実行されているアプリケーションに対応するアイコン自体の色、明度及び透明度の少なくとも１つを変化させてもよい。また、スマートフォン１は、バックグラウンドで実行されているアプリケーションに対応するアイコン自体の色、明度及び透明度の少なくとも１つを変化させ、さらに、アイコンの枠の太さ及び枠の色の少なくとも１つを変化させてもよい。
【００８１】
また、バックグラウンドで実行されているアプリケーションに対応するアイコンに付加される停止ボタンの外観は、上記の実施形態に限定されない。例えば、スマートフォン１は、図１０に示すように、バックグラウンドで実行されているアプリケーションに対応するアイコンに、「Ｓｔｏｐ」等の文字を含む停止ボタン５３ａを付加してもよい。
【００８２】
あるいは、スマートフォン１は、図１１に示すように、バックグラウンドで実行されているアプリケーションに対応するアイコンに、停止ボタンに代えて、再開ボタン５４ａを付加してもよい。アイコン５０ａに再開ボタン５４ａが付加されている場合、スマートフォン１は、再開ボタン５４ａがタップされるとアイコン５０ａに対応するアプリケーションをフォアグラウンドで実行する。また、スマートフォン１は、アイコン５０ａがタップされるとアイコン５０ａに対応するアプリケーションを終了させる。このように、アイコンがタップされた場合の動作と、アイコンに付加されたボタンがタップされた場合の動作とが上記の実施形態と逆であってもよい。
【符号の説明】
【００８３】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１２、１３  カメラ
１４    コネクタ
１５    加速度センサ 
１６    方位センサ
１７    ジャイロスコープ
２０    ハウジング
【図１】
2013080345.tif 000003
【図２】
2013080345.tif 000004
【図３】
2013080345.tif 000005
【図４】
2013080345.tif 000006
【図５】
2013080345.tif 000007
【図６】
2013080345.tif 000008
【図７】
2013080345.tif 000009
【図８】
2013080345.tif 000010
【図９】
2013080345.tif 000011
【図１０】
2013080345.tif 000012
【図１１】
2013080345.tif 000013